(57)【要約】【課題】チューナ機能と蓄積機能を有する記録再生装置において、記録制限のあるコンテンツの再生（チューナ出力）と記録（蓄積）を同時に行う場合に、受領したストリームの著作権制御情報を変更せずに目的の著作権保護を実現する記録／再生方法を提供する。【解決手段】コンテンツストリームデータの著作権制御情報の変更を行わずに、コピー制限に従ってコンテンツストリームデータに付加する制御情報の著作権保護情報を設定することで目的の著作権保護を実現する。その一方で、コンテンツストリームデータには変更がなされないため、チューナーとしての機能も十分に満たす。【選択図】  図３
2004362704.tif 000002
【特許請求の範囲】
【請求項１】
データを入力するデータ入力手段と、
前記データ入力手段で入力されたデータからコピー世代管理情報を抽出するデータ解析手段と、
前記コピー世代管理情報に基づいてコピー制御情報を生成し、前記データ入力手段で入力されたデータと関連付けて記録する書込み処理手段とを備えたことを特徴とするデータ記録装置。
【請求項２】
書込み処理手段は、コピー世代管理情報がコピー制限を有するときはデータを暗号化して記録することを特徴とする請求項１記載のデータ記録装置。
【請求項３】
コピー世代管理情報を有しているデータと、そのデータと関連付けられたコピー制御情報とを読み込む読込み処理手段と、
前記コピー世代管理情報と前記コピー制御情報のいずれか一方の情報を前記データに付与して出力するデータ出力手段とを備えたことを特徴とするデータ再生装置。
【請求項４】
データを入力するデータ入力手段と、
前記データ入力手段で入力されたデータからコピー世代管理情報を抽出するデータ解析手段と、
前記コピー世代管理情報に基づいてコピー制御情報を生成し、前記データ入力手段で入力されたデータと関連付けて記録する書込み処理手段と、
前記コピー世代管理情報と前記コピー制御情報のいずれか一方の情報を前記データに付与して出力するデータ出力手段とを備えたことを特徴とするデータ記録再生装置。
【請求項５】
データを入力し、前記データからコピー世代管理情報を抽出する第１のステップと、
前記コピー世代管理情報に基づいてコピー制御情報を生成する第２のステップと、
前記コピー制御情報と前記データとを関連付けて記録する第３のステップとを有するデータ記録方法。
【請求項６】
コピー世代管理情報を有しているデータと、そのデータと関連付けられたコピー制御情報とを読み込む第１のステップと、
前記コピー世代管理情報と前記コピー制御情報のいずれか一方の情報を前記データに付与して出力する第２のステップとを有するデータ再生方法。
【請求項７】
データを入力し、前記データからコピー世代管理情報を抽出する第１のステップと、
前記コピー世代管理情報に基づいてコピー制御情報を生成する第２のステップと、
前記コピー制御情報と前記データとを関連付けて記録する第３のステップと、
前記コピー世代管理情報と前記コピー制御情報のいずれか一方の情報を前記データに付与して出力する第４のステップとを有するデータ記録再生装置。
【請求項８】
請求項７記載のステップをコンピュータに実行させるためのプログラム。
【請求項９】
請求項７記載のステップをコンピュータに実行させるためのプログラムを記録したコンピュータ読み取り可能な記録媒体。
【発明の詳細な説明】
【０００１】
【発明の属する技術分野】
本発明はコピー世代管理されたデータの記録方法、再生方法、及び装置に関する。
【０００２】
【従来の技術】
従来のデジタル記録機器は、不法コピー防止のための所定のＩＤビット（ＣＧＭＳ：コピー世代管理システムの規格の禁止コード）を記録し、本ＩＤビットにより制御をしている（例えば、特許文献１参照）。
【０００３】
また、不当なコピーデータに対しては、これらを有効に再生させないような仕組みとして、データの暗号化により記録している（例えば、特許文献２参照）。
【０００４】
【特許文献１】
特開２００１−１６５４２号公報
【特許文献２】
特開平１１−３９７９５号公報
【０００５】
【発明が解決しようとする課題】
デジタル記録再生装置の普及とデジタル放送の本格開始に伴い、デジタル記録再生装置はデータの蓄積だけでなく、同時に外部機器へのチューナーとしての役割も果たすことが求められている。
【０００６】
このような役割を果たすデジタル記録再生装置においては、蓄積機能を果たすために受信したコンテンツデータを蓄積する場合と、チューナー機能を果たすために外部機器へコンテンツデータを送出する場合とにおいて、異なる著作権管理情報をデータに付与する必要がある。例えば子供のコピー（一世代下のコピー）が許可されているのみの著作権情報が付されたコンテンツデータを受信した場合、蓄積機能によりコンテンツデータを録画する場合には、これ以上の記録を禁止する状態に著作権情報を変化させてから録画する必要がある。一方、チューナー機能によりそのコンテンツデータを外部機器へ送出する場合には、著作権情報を変化させずにそのまま伝える必要がある。また、例えば受信したコンテンツデータを録画した後に外部機器へ送信する場合には、受信したコンテンツデータ内部の著作権情報を書き換えて録画した後、その書き換えられた著作権情報を外部機器へ送出しなければならない。
【０００７】
このように、蓄積機能とチューナー機能との双方を有するデジタル記録再生装置においては、その機能に応じてコンテンツデータに含まれる著作権情報を都度書き換える必要があり、それぞれの機能を実行する際のオーバヘッドが大きくなってしまうという課題がある。また双方の著作権情報を有するコンテンツデータを保持することでオーバヘッドを少なくすることも考えられるが、実質同一内容のコンテンツデータを２種類保持することとなり、メモリの使用量が増大してしまう。
【０００８】
本発明は上記課題に鑑み、受信したコンテンツデータ内部の著作権情報を書き換えることなく著作権の管理を行い、複数の機能を実行する際でも同一のコンテンツデータを用いることにより、オーバヘッドの少ないデジタル記録再生装置を提供することを目的とする。
【０００９】
【課題を解決するための手段】
上記目的を達成するために、本発明のデータ記録装置は、データを入力するデータ入力手段と、データ入力手段で入力されたデータからコピー世代管理情報を抽出するデータ解析手段と、コピー世代管理情報に基づいてコピー制御情報を生成し、データ入力手段で入力されたデータと関連付けて記録する書込み処理手段とを備えており、入力されるデータのコピー制御情報を変更せずに、蓄積データに対して、コピー制御情報を非同期に付与することを特徴としている。
【００１０】
また本発明のデータ記録装置は、書込み処理手段は、コピー世代管理情報がコピー制限を有するときはデータを暗号化して記録することを特徴としている。
【００１１】
また本発明のデータ記録再生装置は、コピー世代管理情報を有しているデータと、そのデータと関連付けられたコピー制御情報とを読み込む読込み処理手段と、
コピー世代管理情報とコピー制御情報のいずれか一方の情報をデータに付与して出力するデータ出力手段とを備えている。これにより、入力されるデータのコピー制御情報を変更せずに、出力データに対して、コピー制御情報を非同期に付与することを特徴としている。
【００１２】
また本発明のデータ記録再生装置は、データを入力するデータ入力手段と、データ入力手段で入力されたデータからコピー世代管理情報を抽出するデータ解析手段と、コピー世代管理情報に基づいてコピー制御情報を生成し、データ入力手段で入力されたデータと関連付けて記録する書込み処理手段と、コピー世代管理情報とコピー制御情報のいずれか一方の情報をデータに付与して出力するデータ出力手段とを備えており、入力されるデータのコピー制御情報を変更せずに、蓄積データおよび出力データに対して、コピー制御情報を非同期に付与することを特徴としている。また、複数の著作権保護情報のコピー制御情報の最も厳しい条件で再生方法を決定することができる。
【００１３】
また本発明のデータ記録方法は、入力されたデータからコピー世代管理情報を抽出する第１のステップと、コピー世代管理情報に基づいてコピー制御情報を生成する第２のステップと、コピー制御情報と前記データとを関連付けて記録する第３のステップとを有している。
【００１４】
また本発明のデータ再生方法は、コピー世代管理情報を有しているデータと、そのデータと関連付けられたコピー制御情報とを読み込む第１のステップと、コピー世代管理情報とコピー制御情報のいずれか一方の情報を前記データに付与して出力する第２のステップとを有している。
【００１５】
また本発明のデータ記録再生方法は、入力されたデータからコピー世代管理情報を抽出する第１のステップと、コピー世代管理情報に基づいてコピー制御情報を生成する第２のステップと、コピー制御情報とデータとを関連付けて記録する第３のステップと、コピー世代管理情報とコピー制御情報のいずれか一方の情報を前記データに付与して出力する第４のステップとを有している。
【００１６】
【発明の実施の形態】
以下、本発明の実施の形態について、図面を用いて説明する。
【００１７】
図１は、本発明にかかる映像記録再生装置の構成である。システムは、チューナー手段１０７、蓄積手段１０８から構成されている。チューナー手段１０７は、データ入力手段１０１、データ解析手段１０２、データ出力手段１０３、一時記憶手段１０４から構成されている。蓄積手段１０８は、一時記憶手段１０４、読出書込手段１０５、可換記録媒体１０６から構成されている。
【００１８】
データ入力手段１０１は、外部より入力した信号をデジタルデータに変換する。データ解析手段１０２は、入力されたデータの解析を行う。デジタル放送の場合は、デジタル放送規格に基づいてデータの内容を解釈し、要求されたチャンネルの番組データのみを抽出したり、著作権保護を目的としたコピー制御情報の抽出を行う。一時記憶手段１０４はＳＤＲＡＭに代表される高速メモリであり、転送速度の異なる各種処理手段間の緩衝手段として利用される。データ出力手段１０３は一時記憶手段１０４に蓄積されたコンテンツデータを外部機器が制御するための情報を付与しながら出力する。読出書込手段１０５はＤＶＤ−ＲＡＭやＢｌｕ−ｒａｙディスクのような可搬性の可換記録媒体１０６へのデータの書き込み及び読み込み制御とデータの暗復号処理、データ解析処理を行う。
【００１９】
上記構成の映像記録再生装置において、次のようにデータの録画再生動作が行われる。
【００２０】
録画時には次のように動作する。デジタル放送波を受領したデータ入力手段１０１は、デジタルデータ化して後段のデータ解析手段１０２にデータを転送する。データ解析手段１０２は、データに付与されているプログラム番号から目的とする番組を抽出して後段の一時記憶手段１０４にデータを転送する。また、あわせてコピー世代管理情報の抽出も行う。
【００２１】
一時記憶手段１０４に格納されたデータ（以後、転送されたデータをコンテンツストリームデータと称す）は、読出書込手段１０５を通じて可換記録媒体１０６に記録する。コンテンツストリームデータがデジタル放送波の場合はＭＰＥＧ−ＴＳのパケット単位に分割することが可能であり、記録する場合は図２に示すように、この単位のコンテンツデータ２０２に、データを利用する場合の情報やコピー制御情報を制御データ２０１として付与しながら記録する。ここで付与するコピー制御情報はコンテンツデータ２０２に当初から含まれているコピー世代管理情報とは独立して付与する情報である。
【００２２】
コンテンツストリームデータに含まれるコピー世代管理情報によりコピーの禁止が表明されている場合は、録画を停止する。一世代下のコピーの許可が表明されている場合は、これ以上のコピーを禁ずる情報を制御データ２０１のコピー制御情報に設定して、コンテンツデータを暗号化して記録する。ここで、コンテンツストリームデータに含まれるコピー世代管理情報は書き換えずに記録する。コピーフリーが表明されている場合は、コピーフリーの情報を制御データ２０１のコピー制御情報に設定して、コンテンツデータを暗号化せずにそのまま記録する。
【００２３】
チューナーとして機能する視聴時には次のように動作する。一時記憶手段１０４までの処理は上記録画時の動作と同じである。一時記憶手段１０４のコンテンツストリームデータはデジタル放送の場合はＭＰＥＧ−ＴＳであり、１８８バイトのパケットで構成されている。データ出力手段１０３として、例えばＩＥＥＥ１３９４を用いた場合は、１８８バイトのパケットデータに４バイトの制御データ（コピー制御情報とタイムスタンプ）を付与してデータを転送する。この場合、データ構成は図２に示すような制御データ２０１とコンテンツデータ２０２の構成のデータが転送される。
【００２４】
データ出力手段１０３では、データ解析手段１０２で検出されたコピー世代管理情報と同一内容の情報をコピー制御情報として制御データ２０１に付与する。コンテンツストリームデータがコピー世代管理情報によりコピーの禁止が表明されている場合は、コピー禁止の情報を制御データ２０１のコピー制御情報に設定する。一世代下のコピーの許可が表明されている場合は、一世代下のコピーを許可する情報を制御データ２０１のコピー制御情報に設定する。コピーフリーが表明されている場合は、コピーフリーの情報を制御データ２０１のコピー制御情報に設定する。
【００２５】
再生時には次のように動作する。可換記録媒体１０６に蓄積されているコンテンツデータを読出書込処理手段１０５を通じて一時記憶手段１０４に読み出す。この時、コンテンツデータは暗号化されている可能性があり、読出書込処理手段１０６はデータの復号化処理を行う。また、あわせて制御データ２０１内のコピー制御情報の取得処理と、コンテンツデータ２０２の解析を行ってコピー世代管理情報の抽出処理を行う。一時記憶手段１０４からの再生出力処理は上記視聴時の動作と同じである。視聴時と異なる処理として、データ出力手段１０３が付与するコピー制御情報は、読出書込処理手段１０５が取得した制御データ２０１内のコピー制御情報とコンテンツデータの解析より検出したコピー世代管理情報との厳しい条件の方を採用する。
【００２６】
以上のように、本発明の実施例では、一時記憶手段に蓄積されたコンテンツストリームデータを入力データのまま変更せずに、録画動作と視聴動作のそれぞれの動作において、各処理手段に応じた制御データにのみコピー制御情報を反映しているため、同一のコンテンツストリームデータを用いて録画機能とチューナー機能を両立させることが可能である。また、複数のコピー制御情報の厳しいものを採用することにより、コンテンツ製作者の意図に反しない著作権保護を実現することが可能である。
【００２７】
なお、データ入力手段１０１は、外部より入力されたアナログ画像データをデジタル化及び圧縮化する機能を有してもよい。
【００２８】
なお、データ解析手段１０２は、コンテンツストリームデータ内に埋め込まれた電子すかし（ビデオウォーターマーク）を抽出する機能を有してもよい。
【００２９】
なお、データ解析手段１０２は、データを解析すると同時に、録画用コンテンツストリームデータを複製する機能を有してもよい。
【００３０】
なお、読出書込手段１０５は、制御データ２０１内のコピー制御情報が不正に改竄されることを防止するために、制御データ２０１を含めて暗号化処理を行う機能を有してもよい。
【００３１】
なお、読出書込手段１０５は、ＩＤＥやＳＣＳＩに代表される通信制御手段を有し、一時記憶手段１０４とコピー制御情報を秘匿性の高い方法で交換できる機能を有する独立した外部機器であってもよい。
【００３２】
なお、読出書込手段１０５は、コンテンツデータ内に埋め込まれたビデオウォーターマークを検出する機能を有してもよい。
【００３３】
なお、読出書込手段１０５は、制御データ内のコピー制御情報とコンテンツデータ内のコピー制御情報とを比較して、条件の厳しいほうに自ら書き換える機能を有してもよい。
【００３４】
なお、データ出力手段１０３は、デジタル圧縮された画像データをアナログ画像データに変換しテレビモニタ等の出力機器に転送する機能を有してもよい。
【００３５】
なお、データ出力手段１０３は、再生の場合には、制御データ内のコピー制御情報とコンテンツデータ内のコピー制御情報とを比較して、条件の厳しいほうに自ら書き換える機能を有してもよい。
【００３６】
なお、図２において、コピー制御情報は制御データ内に含まれるとして説明を行ったが、例えばチューナー機能を実現するための具体例として、ＩＥＥＥ１３９４におけるＤＴＣＰ規定のＥＭＩ（Ｅｎｃｒｙｐｔｉｏｎ  Ｍｏｄｅ  Ｉｎｄｉｃａｔｏｒ）を用いてもよい。また、ＢＤへの蓄積を想定した場合には、ＢＤ−ＣＰＳ規定のＣＰＩ（Ｃｏｐｙ  Ｐｅｒｍｉｔｉｏｎ  Ｉｎｄｉｃａｔｏｒ）を用いてもよい。
【００３７】
なお、本実施例は映像データの録画を例に説明しているが、オーディオデータの録音やネット配信されるストリーミングデータに対しても同様である。
【００３８】
図３は、本発明の映像録画の動作を示すフローである。例として、デジタル放送波を記録する場合について、図１および図３を用いて説明する。
【００３９】
データ解析手段１０２によりデータを解析し、録画対象の番組を抽出する（ステップ３０１）。抽出された番組のコンテンツストリームデータよりコピー世代管理情報を取得し（ステップ３０２）、一時記憶手段１０４にデータを転送する。検出されたコピー世代管理情報から、コンテンツストリームデータが蓄積を許可されているかどうかを調査し（ステップ３０３）、蓄積が許可されていない場合は録画処理を停止する（ステップ３０４）。蓄積が許可されている場合は、蓄積可能回数が１世代のみかどうかを調査し（ステップ３０５）、１世代のみの許可がされている場合は、制御データ２０１のコピー制御情報にこれ以上の記録を禁止する情報（Ｎｏ  Ｍｏｒｅ  Ｃｏｐｙ）を設定し（ステップ３０６）、コンテンツデータを不正コピー防止のために暗号化しながら記録する（ステップ３０７）。蓄積に対して制限がない場合は、制御データ２０１のコピー制御情報に自由（Ｆｒｅｅ）を設定し（ステップ３０８）、コンテンツデータに対して何もせずにそのまま記録する（ステップ３０９）。
【００４０】
以上のように、蓄積するにあたり、コンテンツストリームデータに含まれるコピー世代管理情報に基づいた録画停止処理と、コピー制御情報を含む制御データ２０１を付与したコンテンツデータの暗号化記録を行うことで、コンテンツストリームデータに対するデータの変更を行わずに、コンテンツ製作者の意図に反しない著作権保護を実現することが可能である。
【００４１】
図４は、本発明の映像再生の動作を示すフローである。例として、蓄積されたデジタル放送波を再生する場合について説明する。
【００４２】
可換記録媒体に蓄積されたデータを復号処理を行いながら読み出す（ステップ４０１）。読み出されたコンテンツデータを記録フォーマットと照会しながらコンテンツデータのコピー世代管理情報を抽出する（ステップ４０２）。制御データ２０１内のコピー制御情報を読出し（ステップ４０３）、コンテンツデータ内のコピー世代管理情報と制御データ２０１内のコピー制御情報とを比較する（ステップ４０４）。比較の結果、制御データ２０１内のコピー制御情報の方が条件が厳しい場合は、制御データ２０１内のコピー制御情報をデータ出力手段でのコピー制御情報として採用する（ステップ４０５）。逆に、コンテンツデータ内のコピー世代管理情報の方が厳しい場合は、コンテンツデータ内のコピー世代管理情報をデータ出力手段でのコピー制御情報として採用する（ステップ４０６）。
【００４３】
以上のように、再生するにあたり、複数のコピー制御情報の検出を行って、最も厳しい情報を採用することにより、不正な改竄操作に対してもコンテンツストリームデータに対するデータの変更を行わずに、コンテンツ製作者の意図に反しない著作権保護を実現することが可能である。
【００４４】
なお、本発明は、上述したデータ記録再生装置および方法の全部または一部の機能をコンピュータにより実行させるためのプログラムとして実現してもよい。
【００４５】
また、本発明は、上記プログラムを担持した記録媒体であり、コンピュータにより読み取り可能かつ、読み取られた前記プログラムが前記コンピュータと協働して利用される記録媒体として実現してもよい。
【００４６】
【発明の効果】
本発明によれば、子供のコピー（一世代下のコピー）が許可されているのみのコンテンツに対して、録画することによりこれ以上の記録を禁止する状態に変化する蓄積機能と外部機器に一世代下のコピーを許可する情報をそのまま伝えるチューナー機能を同時に実現する場合に、同一のコンテンツストリームデータを用いることが可能である。
【００４７】
本発明によれば、ウォーターマークのようにストリームデータ内に埋め込まれて変更することが困難なコピー制御情報に対しても、著作権保護機能を保持しつつデータを変更せずに記録することが可能である。
【図面の簡単な説明】
【図１】本発明にかかる映像記録再生装置の構成図
【図２】データ構成を示す図
【図３】記録制御動作のフローチャート
【図４】再生制御動作のフローチャート
【符号の説明】
１０１  データ入力手段
１０２  データ解析手段
１０３  データ出力手段
１０４  一時記憶手段
１０５  読出書込処理手段
１０６  可換記録媒体
１０７  チューナー手段
１０８  蓄積手段
２０１  制御データ
２０２  コンテンツデータ
【図１】
2004362704.tif 000003
【図２】
2004362704.tif 000004
【図３】
2004362704.tif 000005
【図４】
2004362704.tif 000006